(57)【要約】【課題】鈴の発音が良好であり、かつ、装着性に優れた鈴掛けを提供する。【解決手段】鈴掛１０は、略Ｌ字状の金具１２とバンド３４により構成されている。前記金具１２の吊り下げ面１４の端部１４Ａ近傍には穴１８が設けられ、吊り下げ面１４と取り付け面１６の直交部分には略コ字状の穴２０が設けられる。更に、取り付け面１６には、長穴２４，２６，２８が設けられる。前記バンド３４は、バックル３６によって長さ調節が可能となっている。鈴掛１０を縦ベルト（例えば、ザック５０のショルダーベルト５２）に装着するときには、バンド３４を長穴２６及び２８に通し、横ベルトに装着するときには、穴２０の底辺２０Ａと長穴２４に通してバックル３６で締める。吊り下げ面１４の端部１４Ａ近傍に吊り下げられた鈴３０は、ザック５０や衣類などに直接触れることがないため、良好に発音する。【選択図】図１
2007252261.tif 000002
【特許請求の範囲】
【請求項１】
衣類または装備に鈴を装着するための鈴掛であって、
略直交する２つの面によって略Ｌ字状に形成された金具本体，
を備えるとともに、前記金具本体が、
前記鈴を吊るす紐ないしベルトを、一方の面から吊り下げるための吊り下げ手段，
他方の面に少なくとも一対以上形成されており、前記金具本体を装着部位に着脱可能に取り付けるためのバンドを、所定の方向に通すバンド通し穴，
を含むことを特徴とする鈴掛。
【請求項２】
前記吊り下げ手段が、
前記一方の面の端部近傍に形成されており、前記鈴を吊るす紐ないしベルトが挿通可能な穴，
前記２つの面の直交部分近傍に、前記一方の面の端部に向けて両腕が伸びるように設けられた略コ字状の穴によって形成されたフック，
を含むことを特徴とする請求項１記載の鈴掛。
【請求項３】
前記略コ字状の穴の底辺が、前記バンドを縦方向に通すための一対の通し穴の一方を兼ねることを特徴とする請求項２記載の鈴掛。
【請求項４】
前記バンドの長さが調節可能であることを特徴とする請求項１〜３のいずれかに記載の鈴掛。
【発明の詳細な説明】
【技術分野】
【０００１】
本発明は、熊よけなどに用いられる鈴を掛けるための鈴掛（ないしベルハンガー）に関するものである。
【背景技術】
【０００２】
登山やハイキングの際には、熊と遭遇するのを避けるため、音が出る鈴やベルを携行し、熊に人間の存在を知らせて遭遇を避けるようにするのが一般的である。例えば、以下の特許文献１には、鈴を鳴らす必要がある場所では鈴が鳴る状態にし、鈴を鳴らす必要がない場所では鈴が鳴らない状態にできる鐘状の携帯式熊よけ鈴が開示されている。また、特許文献２には、熊除け用の鈴を着脱自在に装着した山歩き用の靴が開示されている。
【特許文献１】特開２００５−３２８８１５公報
【特許文献２】実登３０５５７５６号公報
【発明の開示】
【発明が解決しようとする課題】
【０００３】
ところで、鈴やベル（以下「鈴」）を熊よけに用いる場合には、確実に発音するように装着しなければならないが、ザックや布地に触れることによって消音されてしまうことがある。上述した背景技術においても、鈴の装着方法が適切でないと消音するおそれがあるが、確実に発音させるための取り付け手法については提案されていない。また、通常、鈴は紐などによって所望の場所に取り付けられるが、紐だけでは装着しにくい場合もある。
【０００４】
本発明は、以上の点に着目したもので、その目的は、鈴の発音が良好であり、かつ、装着性に優れた鈴掛（ないしベルハンガー）を提供することである。
【課題を解決するための手段】
【０００５】
前記目的を達成するため、本発明は、衣類または装備に鈴を装着するための鈴掛であって、略直交する２つの面によって略Ｌ字状に形成された金具本体，を備えるとともに、前記金具本体が、前記鈴を吊るす紐ないしベルトを、一方の面から吊り下げるための吊り下げ手段，他方の面に少なくとも一対以上形成されており、前記金具本体を装着部位に着脱可能に取り付けるためのバンドを、所定の方向に通すバンド通し穴，を含むことを特徴とする。
【０００６】
主要な形態の一つは、前記吊り下げ手段が、前記一方の面の端部近傍に形成されており、前記鈴を吊るす紐ないしベルトが挿通可能な穴，前記２つの面の直交部分近傍に、前記一方の面の端部に向けて両腕が伸びるように設けられた略コ字状の穴によって形成されたフック，を含むことを特徴とする。
【０００７】
他の形態は、前記略コ字状の穴の底辺が、前記バンドを縦方向に通すための一対の通し穴の一方を兼ねることを特徴とする。更に他の形態は、前記バンドの長さが調節可能であることを特徴とする。本発明の前記及び他の目的，特徴，利点は、以下の詳細な説明及び添付図面から明瞭になろう。
【発明の効果】
【０００８】
本発明は、略Ｌ字状の金具本体の一方の面から鈴を吊るし、他方の面を長さ調節可能なバンドによって着脱可能に装着部分に取り付けることとしたので、良好な発音と優れた装着性が得られるという効果がある。
【発明を実施するための最良の形態】
【０００９】
以下、本発明を実施するための最良の形態を、実施例に基づいて詳細に説明する。
【実施例１】
【００１０】
最初に、図１及び図２を参照しながら、本発明の実施例１を説明する。図１(A)は、本実施例の鈴掛の金具を示す斜視図，図１(B)は、前記金具にバンドと鈴と取り付けた状態を示す斜視図，図１(C)は、ザックへの装着例を示す斜視図である。図２は、本実施例の他の装着例を示す図である。本実施例の鈴掛１０は、略Ｌ字状の金具１２と、該金具１２をザック５０などへ装着するためのバンド３４により構成されている。
【００１１】
前記金具１２は、図１(A)及び(B)に示すように、鈴３０を吊り下げるための吊り下げ面１４と、該吊り下げ面１４と略直交し装着部位に取り付けられる取り付け面１６により形成されており、前記吊り下げ面１４が上になるようにして、前記取り付け面１６をザック５０などへ装着して使用される。前記吊り下げ面１４の端部１４Ａ近傍には、鈴３０を吊るすための紐（ないしベルト）３２を通すための略３角形の穴１８が設けられている。また、該吊り下げ面１４と取り付け面１６が交わる部分には、両腕が前記端部１４Ａ側へ向けて伸びた略コ字状の穴２０が設けられており、該穴２０の底辺２０Ａと両方の腕２０Ｂに挟まれた部分が、前記鈴３０の紐３２を掛けるためのフック２２を形成している。
【００１２】
前記取り付け面１６の下端側には、前記穴２０の底辺２０Ａと略平行となるように、所定の幅及び長さを有する長穴２４が形成されている。また、取り付け面１６の対向する縁部近傍には、前記長穴２４と略同一形状の長穴２６及び２８が、前記縁部に沿って形成されている。このような金具１２としては、例えば、厚さ１．５ｍｍ程度のアルミニウム合金（超ジュラルミンＡ７００１など）に、さび止めや塗料をコーティングしたものが用いられる。
【００１３】
前記バンド３４は、前記穴２０の底辺２０Ａ，長穴２４，２６，２８に挿通可能な幅及び厚みを有するとともに、装着部位（例えばザック５０のショルダーベルト５２など）に巻き付け可能な長さに設定されている。該バンド３４の一方の端部３４Ａには、バックル３６が取り付けられており、他方の端部３４Ｂを該バックル３６に通して折り返し、適宜位置で締めることによって、バンド３４の長さを調節することが可能となっている。該バンド３４は、必要に応じて前記底辺２０Ａと長穴２４に通すようにしてもよいし、長穴２６及び２８に通すようにしてもよい。このようなバンド３４としては、例えば、ナイロンテープが用いられる。
【００１４】
次に、本実施例の使用手順について説明する。まず、図１(A)に示す金具１２の穴１８に、裏側から鈴３０の紐３２を差し込み、該紐３２の先端の輪の部分を、前記フック２２に上から掛けて鈴３０を取り付けておく（図１(B)参照）。次に、図１(C)のザック５０のショルダーベルト５２のような縦ベルトに鈴掛１０を装着する場合には、取り付け面１６を前記ショルダーベルト５２の表面に当てた上で、前記図１(B)に示すように、バンド３４を長穴２６及び２８に通し、該バンド３４と取り付け面１６の裏面の間にショルダーベルト５２を挟み込むようにする。そして、バンド３４の端部３４Ｂをバックル３６に通して締めると、鈴掛１０がショルダーベルト５２に装着される。
【００１５】
また、図２(B)のウエストベルト５４や図２(C)のサイドベルト５６のような横ベルトに鈴掛１０を装着する場合には、図２(A)に示すように、バンド３４を穴２０の底辺２０Ａと長穴２４に通し、該バンド３４と取り付け面１６の間にウエストベルト５４又はサイドベルト５６を挟み込んでバックル３６で締める。このとき、前記取り付け面１６を、ウエストベルト５４やサイドベルト５６の表面側に設けずに、それらの内側に差し込むようにすると、より安定した装着が可能となる。以上のようにして、ザック５０の任意の位置に鈴掛１０を取り付けると、鈴３０は吊り下げ面１４の端部１４Ａ近傍に吊り下げられており、取り付け面１６やザック５０，あるいは衣服などに直接接触することがほとんどないため、発音性が良好である。
【００１６】
このように、実施例１によれば、次のような効果がある。
(1)略Ｌ字状の金具１２の吊り下げ面１４の端部１４Ａ近傍に鈴３０を吊り下げ、前記吊り下げ面１４と略直交する取り付け面１６を、バンド３４によってザック５０の横ベルト又は縦ベルトに装着することとしたので、鈴３０が取り付け面１６やザック５０，あるいは、衣服などに直接接触することがほとんどなく、良好に発音する。
(2)鈴３０の紐３２を、前記吊り下げ面１４に形成された穴１８に通すとともに、フック２２に掛けることとしたので、激しく振れた場合であっても、鈴３０の紛失を防止することができる。
(3)前記バンド３４を、縦方向及び横方向に通すことができるため、横ベルトや縦ベルトがあれば、そのいずれに対しても鈴掛１０の装着が可能である。
【００１７】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、同様の効果を奏するように、必要に応じて適宜変更してよい。
(2)前記実施例で示した材質も一例であり、公知の各種の材質を利用してよい。例えば、実施例１では、金具１２として超ジュラルミンを用い、バンド３４としてナイロンテープを利用することとしたが、同様の効果を奏するように、必要に応じて適宜変更してよい。
(3)前記実施例では、鈴３０に紐３２を設けることとしたが、ベルトなどを用いるようにしてもよい。またその材質も、金属製のものを含むようにするなど、公知の各種のものを利用してよい。
【００１８】
(4)前記実施例では、前記取り付け面１６に、縦方向及び横方向にバンド３４を通すための通し穴を設けることとしたが、斜め方向にバンド３４を通すための穴を形成するようにしてもよい。
(5)前記実施例では、ザック５０のショルダーベルト５２，ウエストベルト５４，サイドベルト５６に本発明の鈴掛１０を装着することとしたが、これも一例であり、縦ベルトや横ベルトを備えているものであれば、衣類や公知の各種の装備に装着してよい。例えば、前記ウエストベルト５４以外にも、ズボンのベルトやウエストポーチのベルトなど、腰に近い部分に装着するようにすると、効果的に鈴音を響かせることが可能である。
【００１９】
(6)前記実施例では、バンド３４を利用することとしたが、ザック５０やズボンのベルトなど、既存のベルトないしバンドを利用して金具１２を取り付けるようにしてもよい。例えば、底辺２０Ａ，長穴２４，２６，２８の寸法を、５×２０ｍｍ程度に形成すると、ザック５０のサイドベルト５６やズボンベルト（図示せず）などをこれらに直接通すことができ、より強固に固定することができる。
(7)本発明の鈴掛１０は、熊よけのみならず、振動により常に発音させることが必要とされる目的全般に適用可能である。
【産業上の利用可能性】
【００２０】
本発明によれば、略Ｌ字状の金具本体の一方の面から鈴を吊るし、他方の面を長さ調節可能なバンドによって着脱可能に装着部分に取り付け、良好な発音と優れた装着性を得ることとしたので、発音が必要とされる場所に鈴を装着する際の鈴掛の用途に適用できる。特に、熊よけの用途に好適である。
【図面の簡単な説明】
【００２１】
【図１】本発明の実施例１を示す図であり、(A)は鈴掛の金具を示す斜視図，(B)は前記金具にバンドと鈴を取り付けた状態を示す斜視図，(C)はザックへの装着例を示す斜視図である。
【図２】前記実施例１の他の装着例を示す図である。
【符号の説明】
【００２２】
１０：鈴掛
１２：金具
１４：吊り下げ面
１４Ａ：端部
１６：取り付け面
１８，２０：穴
２０Ａ：底辺
２０Ｂ：腕
２２：フック
２４，２６，２８：長穴
３０：鈴
３２：紐
３４：バンド
３４Ａ，３４Ｂ：端部
３６：バックル
５０：ザック
５２：ショルダーベルト
５４：ウエストベルト
５６：サイドベルト
【図１】
2007252261.tif 000003
【図２】
2007252261.tif 000004